(57)【要約】【課題】通信ネットワークを使って、患者の生体情報を遠隔で医師が閲覧し、患者に対して容易にアドバイスを伝え、患者にとっても医師にとっても効率があがり、効果のある健康管理支援システムを提供することを目的とする。【解決手段】医師用端末装置１の表示手段６で患者の生体情報を表示し、表示中の医師の操作でリンク制御手段８により雛形メッセージ選択手段２６に処理が遷移し、その生体情報に関連した複数の雛形メッセージの中から一つを選択することでメッセージを作成する。そして作成されたメッセージは通信ネットワークを介して患者用端末装置２に転送され、患者はそのメッセージを閲覧できる。したがって、患者は病院等へ行くことなく医師の指導を受けられ、医師は複数の雛形メッセージから一つを選択するだけの作業でメッセージを作成でき、双方の効率を上げることができる。【選択図】　図２
2004102756.tif 000002
【特許請求の範囲】
【請求項１】
通信ネットワークを介して接続された医師用端末装置と患者用端末装置を備えた健康管理支援システムであって、前記患者用端末装置は患者の生体情報を入力する生体情報入力手段と、医師からのメッセージを表示する表示手段とを有し、前記医師用端末装置は前記患者からの生体情報を表示する表示手段と、患者へのメッセージを作成するメッセージ作成手段と、前記表示手段による生体情報の表示から前記メッセージ作成手段へのリンクを制御するリンク制御手段を有し、前記メッセージ作成手段は複数の雛形メッセージを保存する雛形メッセージ保存手段と、前記複数の雛形メッセージを前記生体情報を分類項目として分類するための関連付け手段と、前記生体情報に関連付けられた前記複数の雛形メッセージから一つを選択する雛形メッセージ選択手段を有し、前記リンク制御手段は、前記生体情報の表示から当該生体情報に関連付けられた前記複数の雛形メッセージから一つを選択する前記雛形メッセージ選択手段へとリンク制御する健康管理支援システム。
【請求項２】
複数の雛形メッセージは警告の意味を持つメッセージと、称賛の意味を持つメッセージを含む請求項１記載の健康管理支援システム。
【請求項３】
メッセージ作成手段は雛形メッセージ選択手段により選択された雛形メッセージを編集する雛形メッセージ編集手段を有する請求項１記載の健康管理支援システム。
【請求項４】
通信ネットワークを介して接続されたデータベースサーバ装置を有し、前記データベースサーバ装置は患者用端末装置から生体情報を受信して格納する生体情報格納手段と、医師用端末装置からメッセージを受信して格納するメッセージ格納手段を有する請求項１記載の健康管理支援システム。
【請求項５】
データベースサーバ装置は、医師用端末装置でメッセージ作成手段として動作するスクリプトおよびデータを格納するメッセージ作成ツール格納手段を有し、医師用端末装置は前記データベースサーバ装置よりメッセージ作成スクリプトおよびデータを受信する請求項４記載の健康管理支援システム。
【請求項６】
生体情報入力手段は生体情報測定器を有し、測定した生体情報を有線または無線の通信により入力する請求項１記載の健康管理支援システム。
【発明の詳細な説明】
【０００１】
【発明の属する技術分野】
本発明は、医師用端末装置、患者用端末装置を通信ネットワークを介して接続して構成し、患者の生体情報を医師用端末装置で閲覧した医師が、患者に対してアドバイスメッセージを作成し、患者用端末装置でそのアドバイスメッセージを閲覧するシステムに関するものである。
【０００２】
【従来の技術】
従来より、医師は体温や血圧、血糖などの患者の生体情報を基に判断し、患者に対して投薬などの治療行為を行ったり、生活改善を促すなどしていた。近年、高血圧症、糖尿病、肥満などの生活習慣病患者の増加が問題となっていて、これら生活習慣病は、初期段階では多くの場合、日常の生活習慣を改善することで良化できる。
【０００３】
また、従来は医師が患者と直接対面することにより診療を行ってきたのに対し、通信技術の発達により離れた場所にいる患者を通信回線経由で診療するシステムが実用化されつつある。即ち、患者は在宅で自分の生体情報を測定し、その測定結果をパソコン等を用いて通信回線経由で医師に送信し、一方、医師は送信されてきた患者の生体情報を閲覧して、患者に対するアドバイスメッセージを作成し、電子メール等の手段で患者に送信し、患者は医師から送信されてきたアドバイスメッセージを閲覧することでその指示に従い、生活習慣を改善するというものである。
【０００４】
特に、高血圧症、糖尿病、肥満などの生活習慣病は、投薬などの治療行為よりも生活習慣を医師の指導の下、適切に改善することが重要な症例に対しては、上記のような通信回線を利用した遠隔での診療システムは効率が良く効果が大きい。
【０００５】
【発明が解決しようとする課題】
しかしながら、これらの従来技術のシステムにおいては、医師が一人一人の患者に対してそれぞれアドバイスメッセージを作成しなければならず、医師の負担が大きい。ある例の患者教育システムにおいて、医師は指示入力用ウィンドウにワープロソフト等を使用して入力している。
【０００６】
遠隔での診療システムは患者が病院等へ行かず在宅でも診療を受けることができ効率が上がるものの、医師にとっては、患者の生体情報を閲覧して患者に対しアドバイスメッセージをワープロソフト等で入力していたのでは、効率が上がることにならない。むしろ直接対面して口頭で患者にアドバイスすることより効率を下げることにもなる。その結果、生体情報が警戒レベルを超えたような危険なときにだけアドバイスを作成するようなこととなり、警戒レベルを超えない患者は全くアドバイスを受け取らないこともあり、日常的な生活指導は困難であった。
【０００７】
本発明の目的は、上記の問題点を解決し、通信ネットワークを使って、患者にとっても医師にとっても効率があがり、効果のある健康管理支援システムを提供することにある。
【０００８】
【課題を解決するための手段】
前記従来の課題を解決するために、医師用端末装置は患者からの生体情報を表示する表示手段と、患者へのメッセージを作成するメッセージ作成手段と、前記表示手段による生体情報の表示から前記メッセージ作成手段へのリンクを制御するリンク制御手段を有し、前記メッセージ作成手段は複数の雛形メッセージを保存する雛形メッセージ保存手段と、前記複数の雛形メッセージを前記生体情報を分類項目として分類するための関連付け手段と、前記生体情報に関連付けられた前記複数の雛形メッセージから一つを選択する雛形メッセージ選択手段を有し、前記リンク制御手段は、前記生体情報の表示から当該生体情報に関連付けられた前記複数の雛形メッセージから一つを選択する前記雛形メッセージ選択手段へとリンク制御する構成としたものである。
【０００９】
これによって、医師は表示手段で患者の生体情報を閲覧し、閲覧中の操作でリンク制御手段により雛形メッセージ選択手段に処理が遷移し、その生体情報に関連した複数の雛形メッセージの中から一つを選択することでメッセージを作成することができ、患者にとっても医師にとっても効率が上がり効果のある健康管理支援システムを提供することができる。
【００１０】
【発明の実施の形態】
請求項１に記載の発明は、通信ネットワークを介して接続された医師用端末装置と患者用端末装置を備えた健康管理支援システムであって、前記患者用端末装置は患者の生体情報を入力する生体情報入力手段と、医師からのメッセージを表示する表示手段とを有し、前記医師用端末装置は前記患者からの生体情報を表示する表示手段と、患者へのメッセージを作成するメッセージ作成手段と、前記表示手段による生体情報の表示から前記メッセージ作成手段へのリンクを制御するリンク制御手段を有し、前記メッセージ作成手段は複数の雛形メッセージを保存する雛形メッセージ保存手段と、前記複数の雛形メッセージを前記生体情報を分類項目として分類するための関連付け手段と、前記生体情報に関連付けられた前記複数の雛形メッセージから一つを選択する雛形メッセージ選択手段を有し、前記リンク制御手段は、前記生体情報の表示から当該生体情報に関連付けられた前記複数の雛形メッセージから一つを選択する前記雛形メッセージ選択手段へとリンク制御する構成としたものである。
【００１１】
これによって、患者用端末装置は生体情報入力手段により患者から生体情報を受け、通信ネットワークを介して医師用端末装置に転送されて、医師用端末装置の表示手段で患者の生体情報を表示する。そして医師用端末装置のメッセージ作成手段により医師は患者に対するメッセージを作成する。メッセージ作成手段は、雛形メッセージ保存手段に蓄えられた複数の雛形メッセージより、雛形メッセージ選択手段により一つが選択されることで、メッセージを作成する。また複数の雛形メッセージは患者用端末装置で入力される生体情報で分類され、その分類は関連付け手段で定義されていて、更にリンク制御手段により医師用端末装置の表示手段で患者の生体情報を表示中に医師の操作により雛形メッセージ選択手段に処理を遷移して、当該生体情報に関連付けられた複数の雛形メッセージから一つを選択されることでメッセージが作成される。そして作成されたメッセージは通信ネットワークを介して患者用端末装置に転送され、患者用端末装置の表示手段に表示され、患者はそのメッセージを閲覧できる。したがって、医師は患者の生体情報を閲覧中にその生体情報に関連した複数の雛形メッセージから一つを選択するだけの作業でメッセージを作成でき、医師の効率を上げることができる。
【００１２】
請求項２に記載の発明は、特に請求項１に記載の複数の雛形メッセージは警告の意味を持つメッセージと、称賛の意味を持つメッセージを含む構成とすることにより、患者の生体情報が警戒レベルになくむしろ良化する方向に向かっているときにも、それを称賛するメッセージを容易に作成することができ、良化をさらに促進できる。
【００１３】
請求項３に記載の発明は、特に請求項１に記載のメッセージ作成手段は雛形メッセージ選択手段により選択された雛形メッセージを編集する雛形メッセージ編集手段を有する構成とすることにより、雛形メッセージ選択手段で選択された一つの雛形メッセージを、雛形メッセージ編集手段により追加や修正などの編集を行ってメッセージを作成するので、特定の患者に対しての特有のメッセージを付加したり、一部修正するなどできて、医師の効率が上がることに加え、患者に対して人間味のあるメッセージを作成できる。
【００１４】
請求項４に記載の発明は、特に請求項１に記載の健康管理支援システムは通信ネットワークを介して接続されたデータベースサーバ装置を有し、前記データベースサーバ装置は患者用端末装置から生体情報を受信して格納する生体情報格納手段と、医師用端末装置からメッセージを受信して格納するメッセージ格納手段を有する構成としたものであり、これによって患者用端末装置で入力された生体情報はデータベースサーバ装置の生体情報格納手段に格納され、医師用端末装置で作成されたメッセージはデータベースサーバ装置のメッセージ格納手段に格納され、医師用端末装置はデータベースサーバ装置から患者の生体情報を受信して表示、患者用端末装置はデータベースサーバ装置からメッセージを受信して表示するので、複数の患者用端末装置、複数の医師用端末装置を一つのシステム内に配設できて、一人の患者に対し複数の医師が複数の医師用端末装置からメッセージを作成することができて、医師の効率を更に上げることができる。
【００１５】
請求項５に記載の発明は、請求項４に記載のデータベースサーバ装置は、医師用端末装置でメッセージ作成手段として動作するスクリプトおよびデータを格納するメッセージ作成ツール格納手段を有し、医師用端末装置は前記データベースサーバ装置よりメッセージ作成スクリプトおよびデータを受信する構成としたものであり、これによって、医師用端末装置はデータベースサーバ装置からメッセージ作成ツール格納手段に格納されているメッセージ作成スクリプトおよびデータを受信し、受信したメッセージ作成スクリプトを実行することでメッセージ作成手段として機能するので、医師用端末装置は予めメッセージ作成手段を備えた専用装置でなく、パーソナルコンピュータのような汎用的な装置を医師用端末装置として使うことができ、汎用性を高めることができる。
【００１６】
請求項６に記載の発明は、特に請求項１に記載の生体情報入力手段は生体情報測定器を有し、測定した生体情報を有線または無線の通信により入力する構成としたことにより、生体情報測定器で測定した生体情報は有線または無線の通信により自動的に患者用端末装置に入力されるので、患者の手間が省け使い勝手が向上するとともに、誤った入力がなくなり、入力された生体情報の信頼性が高まり、医師は正しい生活指導をできる効果がある。
【００１７】
【実施例】
以下本発明の実施例について、図面を参照しながら説明する。図１は本発明の実施例を説明する健康管理支援システムの構成を示すブロック図である。図１において医師用端末装置１と、患者用端末装置２と、データベースサーバ装置３とが、例えばＬＡＮ、公衆電話網、インターネットなどの通信ネットワーク４を介して接続されている。ここで医師用端末装置１、患者用端末装置は同様に構成された複数の装置が接続されているが、便宜上各１台が接続された構成で説明する。
【００１８】
医師用端末装置１は例えば通信機能を有するパーソナルコンピュータにてなり、患者の生体情報の表示、患者に対するメッセージの作成を含む処理を実行する。また患者用端末装置２は例えば通信機能を有するパーソナルコンピュータにてなり、患者の生体情報の入力、医師から送られるメッセージの表示などの処理を実行する。さらにデータベースサーバ装置３は例えば通信機能を有するコンピュータにてなり、医師用端末装置１、患者用端末装置２との間で、患者の生体情報、医師から患者に送られるメッセージなどを送受信し格納する。またデータベースサーバ装置３は、医師用端末装置２にてメッセージ作成手段として実行されるメッセージ作成のためのスクリプトプログラムやデータを格納している。
【００１９】
そして医師用端末装置１は、キーボードやマウスなどからなる入力手段５、液晶ディスプレイなどの表示手段６、患者に対するメッセージを作成するためのスクリプトやデータなどからなるメッセージ作成手段７、生体情報の表示からメッセージ作成手段７へのリンクを制御するリンク制御手段８、通信ネットワーク４を介してデータベースサーバ装置３とデータを送受信するための通信手段９、送受信データや入力データを格納するメモリ１０と、それらを制御する制御手段１１を含む構成としている。
【００２０】
患者用端末装置２は、血圧や体重、血糖値などの生体情報を入力するための生体情報入力手段１２、液晶ディスプレイなどの表示手段１３、通信ネットワーク４を介してデータベースサーバ装置３とデータを送受信するための通信手段１４と、送受信データや入力データを格納するメモリ１５と、それらを制御する制御手段１６を含み、生体情報入力手段１２はマウスやキーボードの他に、血圧計、体温計、血糖計などの生体情報測定器１７を含み、生体情報測定器１７からは光信号などの無線通信または、電圧信号などの有線通信で測定値を自動的に入力できる。
【００２１】
データベースサーバ装置３は、医師用端末装置１や患者用端末装置２から送信されてきたデータを受信して格納し、また医師用棚末装置１や患者用端末装置２にデータを送信する。そして、患者用端末装置２から送信されてくる生体情報を格納するための生体情報格納手段１８、医師用端末装置１から送信されてくるメッセージを格納するためのメッセージ格納手段１９、医師用端末装置１に送信するためのメッセージ作成手段７を格納するメッセージ作成ツール格納手段２０、通信ネットワーク４を介してデータベースサーバ装置３とデータを送受信するための通信手段２１と、それらを制御する制御手段２２を含む。ここでメッセージ作成ツール格納手段２０に格納されているメッセージ作成手段７は、医師用端末装置１に送信して、医師用端末装置１で実行されるスクリプトやデータであり、前記した医師用端末装置１のメッセージ作成手段７と同様のものである。図１では、データベースサーバ装置３からメッセージ作成手段７を医師用端末装置１に送信した後、医師用端末装置１にもメッセージ作成手段７が存するものとして構成を説明している。
【００２２】
図２によりメッセージ作成手段７の内部構成を説明する。予め登録されている雛形メッセージを保存している雛形メッセージ保存手段２３、患者用端末装置２で入力される生体情報を予め分類項目としてを保存する分類項目保存手段２４のデータ類と、関連付け手段２５、雛形メッセージ選択手段２６、雛形メッセージ編集手段２７のスクリプト類を含み、更に雛形メッセージ選択手段２６は雛形メッセージ抽出手段２８を含む構成である。
【００２３】
この構成において、分類項目保存手段２４には患者用端末装置２の生体情報入力手段１２により入力される生体情報である血圧、体重、血糖などの項目が登録されている。また雛形メッセージ保存手段２３には雛形メッセージの項目と内容がセットで登録されている。そして関連付け手段２５により雛形メッセージ保存手段に登録されている各雛形メッセージと分類項目保存手段２３に登録されている分類項目とを関連付けている。
【００２４】
そして、医師は表示手段６により患者の生体情報を閲覧しているときに、その生体情報について気付いたことをメッセージとして作成するには所定の操作を行うことにより、リンク制御手段８がその生体情報を関連付け手段２５に送って、処理を雛形メッセージ選択手段２６に遷移する。そして雛形メッセージ選択手段２６ではまず雛形メッセージ抽出手段２８が関連付け手段２５に送られてきた生体情報に該当する雛形メッセージ全てを抽出する。更に、雛形メッセージ選択手段２８により、医師は抽出された雛形メッセージの中から一つの雛形メッセージを選択し、雛形メッセージ編集手段２７により、選択した雛形メッセージを基に追加、修正などの作業を行い、患者に送信するメッセージを完成させる。
【００２５】
以上のように構成されたシステムにおいて、医師用端末装置１と、データベースサーバ装置３との間で信号やデータの送受信が行われる。これらの信号やデータの通信においては、これらの信号やデータを送信側で暗号化する一方、受信側で暗号解読するようにしてもよい。
【００２６】
図３は、医師用端末装置１の制御手段１０によって実行される医師用端末処理を示すフローチャートである。この医師用端末処理において、入力とは医師によりキーボードやマウスよりなる入力手段５を用いたデータ又は数値の入力である。また表示とは液晶ディスプレイなどの表示手段６に表示することである。
【００２７】
図３のステップＳ１において、まず医師コードおよびパスワードを入力し、ステップＳ２において認証はＯＫであるか否かが判断され、すなわち入力された医師コードおよびパスワードのデータが、予め入力されて登録された認証データと一致するか否かが判断され、ＮＯのときはステップＳ１に戻る一方、ＹＥＳのときはステップＳ３に進む。
【００２８】
ステップＳ３でまず例えば図６に示すような画面を表示する。ここではまだ患者が選択されていないので、患者選択のために図６に示す上部だけが表示される。そして、ステップＳ４で医師は患者を選択する。ステップＳ５において、医師用端末装置１はデータベースサーバ装置３に選択された患者に関連付けられている患者コードを送信する。一方、データベースサーバ装置３はステップＳ６で患者コードを受信し、ステップＳ７で受信した患者コードの患者の生体情報を生体情報格納手段１８より抽出し、ステップＳ８で抽出した生体情報を医師用端末装置１に送信する。
【００２９】
医師用端末装置１はステップＳ９で生体情報を受信しメモリ９に一時的に格納し、ステップＳ１０で画面に表示する。表示は例えば図６の画面の下部のような日付と生体情報の表と、各生体情報の項目にメッセージ作成へのリンクボタンを備えて表示する。
【００３０】
ステップＳ１１で医師によりメッセージ作成が選択されたか否かが判断され、ＹＥＳであればステップＳ１２でメッセージ作成処理のサブルーチン処理を行ったあとステップＳ１３へ進む一方、ＮＯであればステップＳ１３へジャンプする。そしてステップＳ１３において、処理終了が選択されると処理を終了する一方、選択されなければステップＳ３に戻って処理を繰り返す。
【００３１】
図４は、図３のサブルーチンであるメッセージ作成処理（ステップＳ１２）を示すフローチャートであり、医師用端末装置１とデータベースサーバ装置３とのデータの送受信を含めて説明する。
【００３２】
図４において、医師用端末装置１は、ステップＳ２１でまず内部にメッセージ作成手段を持っているかどうかを判断する。ＹＥＳのときはステップＳ２６へジャンプする一方、ＮＯのときはステップＳ２２に進む。ステップＳ２２ではデータベースサーバ装置３にメッセージ作成手段の要求信号を送信する。一方、データベースサーバ装置３はステップＳ２３でメッセージ作成手段要求信号を受信すると、ステップＳ２４で医師用端末装置１にメッセージ作成手段を送信する。そして医師用端末装置１はステップＳ２５でメッセージ作成手段を受信する。
【００３３】
次に医師用端末装置１はステップＳ２６で例えば図７に示すようなメッセージ作成画面を表示する。ここで患者名は図３のステップＳ４で選択された患者であり、その患者に対してメッセージを作成する。また図３のステップＳ１１でメッセージ作成が選択されたときの生体情報に関連付けられている複数の雛形メッセージをステップＳ２７で一覧表示し、ステップＳ２８で、医師はそれら一覧表示された雛形メッセージの中から適当な雛形メッセージを一つ選択する。
【００３４】
医師用端末装置１はステップＳ２９で選択された雛形メッセージを編集画面に表示し、医師はステップＳ３０で雛形メッセージを基に追加や修正などの編集を行う。ステップＳ３１で送信ボタンを押されたかどうかを判断し、ＹＥＳであればステップＳ３２に進む一方、ＮＯであればステップＳ３５にジャンプする。ステップＳ３２では患者コードと編集されたメッセージをデータベースサーバ装置３に送信する。一方、データベースサーバ装置３はステップＳ３３で患者コードとメッセージを受信し、ステップＳ３４で受信したメッセージをメッセージ格納手段１９に格納する。また医師用端末装置１はステップＳ３５で処理終了が選択されたかどうかを判断し、ＹＥＳであれば、処理を終了する一方、ＮＯであればステップＳ２８に戻って処理を繰り返す。
【００３５】
図５は患者用端末装置２によって実行される患者用端末処理を示すフローチャートであり、データベースサーバ装置３との送受信を含めて示している。この患者用端末処理において、表示とは液晶ディスプレイなどの表示手段１２に出力して表示することをいう。
【００３６】
図５のステップＳ４１において、患者はまず患者用端末装置２で患者コードとパスワードを入力し、患者用端末装置２はステップＳ４２において入力された患者コードとパスワードが予め登録されている認証データと一致しているかどうか、即ち認証はＯＫかどうかが判断され、ＹＥＳのときはステップＳ４３に進む一方、ＮＯのときはステップＳ４１に戻る。ステップＳ４３において、データベースサーバ装置３にメッセージの要求信号を送信する。一方、データベースサーバ装置３はステップＳ４４でメッセージ要求信号を受信すると、ステップＳ４５においてメッセージ格納手段１９に格納されているメッセージのうち該当患者に対するメッセージを患者用端末装置２に送信する。患者用端末装置２はステップＳ４６でデータベースサーバ装置３からメッセージを受信し、ステップＳ４７で例えば図８に示すような患者端末処理用画面を表示する。
【００３７】
更に、患者用端末装置２はステップＳ４８にて生体情報入力を選択されたかどうかが判断され、ＹＥＳのときはステップＳ４９で患者は生体情報の入力を行う。生体情報の入力は図示しない別画面で行うものであり、通信可能な生体情報測定器であれば自動で測定結果を患者用端末装置２が受信し、そうでなければマウスやキーボードなどの入力手段を使って入力する。そしてステップＳ５０でデータベースサーバ装置３に測定した生体情報を送信する。一方、データベースサーバ装置３はステップＳ５１で生体情報を受信し、ステップＳ５２で受信した生体情報を生体情報格納手段１８に格納する。患者用端末装置２はステップＳ５３で処理終了が選択されたかどうかを判断し、ＹＥＳのときは処理を終了し、ＮＯであればステップＳ４８にジャンプして処理を繰り返す。
【００３８】
次に医師用端末装置１の画面例について説明する。図６は医師用端末装置１の患者の生体情報の閲覧の画面例である。図６において、２９は患者名選択欄で登録されているすべての患者が表示されている。医師はその中から生体情報を閲覧すべき患者を選択する。３０は患者名選択ボタンであり、医師は患者名選択欄２９で患者名を選択し、患者名選択ボタン３０をマウスなどの入力手段５でクリックすることで選択した患者名が確定する。３１は生体情報項目表示欄であり、３２は生体情報表示欄で患者名選択欄２９で医師により選択された患者の生体情報が、登録された日付とともに一覧表示される。
【００３９】
３３はメッセージ作成のためのリンクボタンである。リンクボタン３３は生体情報項目表示欄３１の横にあり、それぞれの生体情報項目に対応して備えている。そして医師はリンクボタン３３をマウスなどの入力手段５でクリックすることで図７に示すメッセージ作成画面へ遷移する。その際にはリンクボタンの横にある生体情報項目を関連付け手段２５に送って遷移する。また３４は処理終了ボタンであり、このボタンをクリックすることで生体情報閲覧の処理を終了する。
【００４０】
図７は医師用端末装置１のメッセージ作成画面の例である。図６に示すメッセージ閲覧画面のリンクボタン３３をクリックすることでこの画面に処理を遷移する。３５は患者名表示欄で図６の患者名選択欄２９で選択された患者名を表示している。３６はメッセージ選択欄で、図６でクリックされたリンクボタン３３の横に表示されている生体情報項目に関連付けられて登録されているメッセージがタイトルと内容をセットにして一覧表示される。
【００４１】
図７は、図６において「血圧」の横のリンクボタン３３がクリックされ、メッセージ選択欄３６には血圧に関連したメッセージが一覧表示されている状態を示している。これら予め登録されているメッセージの中には、例えば「血圧良好ですね」のような警告ばかりではなく、良好であることを称賛するメッセージも含まれている。これは警告されることのないような健全な生体情報を有する患者にもメッセージを送ることができるようにしている。
【００４２】
更に３７はタイトル編集欄、３８はメッセージ編集欄である。メッセージ選択欄３６でメッセージが選択されると、選択されたメッセージのタイトル部分がタイトル編集欄３７に、メッセージの内容がメッセージ編集欄３８に表示される。医師は、タイトル編集欄３７やメッセージ編集欄３８を使って、タイトルやメッセージに追加、修正などの編集を加え、メッセージを作成する。３９は送信ボタンであり、マウス等の入力手段５でクリックすることにより、患者名表示欄３５で表示されている患者のコード、タイトル編集欄３７で編集されたタイトル、メッセージ編集欄３８で編集されたメッセージが、データベースサーバ装置３に送信される。４０は処理終了ボタンであり、このボタンをクリックすることでメッセージ作成の処理を終了する。
【００４３】
図８は患者用端末装置２の画面の例である。４１は生体情報選択ボタン群であり、測定項目である血圧、体重、血糖、体温、脈拍などに対応したボタンを備えている。患者はこれらのボタンのいずれかを選択することで、各測定項目に対応した図示しない別画面が起動し、患者は生体情報入力手段１２により生体情報を入力する。生体情報入力手段１２は生体情報測定器１７で測定したデータが通信で自動的に入力するか、または、キーボードやマウス、タッチパネルなどを使って入力する。また４２はメッセージ表示欄であり、医師により作成されデータベースサーバ装置３のメッセージ格納手段１９に格納されている当該患者宛のメッセージを受信して、その全てを時系列に表示している。図に示すように、表示はタイトルと内容の他、送信者である医師の名前と、送信された日付を含めて表示するものである。４３は処理終了ボタンであり、患者用端末処理を終了する。
【００４４】
【発明の効果】
以上のように、本発明によれば、患者の生体情報を閲覧した医師が患者に対してアドバイスメッセージを容易に作成して、患者に伝えることができるので、患者が病院等へ行って直接医師と対面しなくても遠隔で健康管理ができ効率が上がるだけでなく、医師も簡単にアドバイスを伝えることができて、両者にとって効率が上がり、効果のある健康管理支援システムを提供することができる。
【図面の簡単な説明】
【図１】本発明の実施例における健康管理支援システムの構成を示すブロック図
【図２】同実施例におけるメッセージ作成手段の内部構成図
【図３】同実施例における医師用端末装置で実行される医師用端末処理を示すフローチャート
【図４】同実施例における医師用端末装置で実行される医師用端末処理のサブルーチンであるメッセージ作成処理を示すフローチャート
【図５】同実施例における患者用端末装置で実行される患者用端末処理を示すフローチャート
【図６】同実施例における医師用端末装置の画面例であって生体情報閲覧画面を示す図
【図７】同実施例における医師用端末装置の画面例であってメッセージ作成画面を示す図
【図８】同実施例における患者用端末装置の画面例を示す図
【符号の説明】
１　医師用端末装置
２　患者用端末装置
３　データベースサーバ装置
４　通信ネットワーク
６　（医師用端末装置の）表示手段
７　メッセージ作成手段
８　リンク制御手段
１２　生体情報入力手段
１３　（患者用端末装置の）表示手段
１７　生体情報測定器
１８　生体情報格納手段
１９　メッセージ格納手段
２０　メッセージ作成ツール格納手段
２３　雛形メッセージ保存手段
２３　分類項目保存手段
２５　関連付け手段
２６　雛形メッセージ選択手段
２７　雛形メッセージ編集手段
【図１】
2004102756.tif 000003
【図２】
2004102756.tif 000004
【図３】
2004102756.tif 000005
【図４】
2004102756.tif 000006
【図５】
2004102756.tif 000007
【図６】
2004102756.tif 000008
【図７】
2004102756.tif 000009
【図８】
2004102756.tif 000010